(57)【要約】【課題】  従来の機器の検出においては、制御要求の送り側の機器では検出できる機器をすべて検出し、検出された順にユーザーに表示していた。あるいは、Bluetoothでは機器のカテゴリ別に表示しているものもあった。しかし、周囲にある機器が増えるに従い、制御要求の送り側の機器で検出できる機器は増え、それら全てを表示させると、接続したい機器をすぐに見つけることができず、不便である。【解決手段】  上記問題を解決するために、本発明であるネットワーク通信システムは、機器検索をする検索サービス部と、機器の検出の絞りこみを行う設定部と、前記検索サービス部と設定部により機器の絞込みを行う判定部と、検出結果を表示する表示部と備えることを特徴とする。【選択図】  図６
2006074355.tif 000002
【特許請求の範囲】
【請求項１】
ネットワーク通信システムの機器制御要求を発行する機器において、機器検索をする検索サービス部と、機器の検出の絞りこみを行う設定部と、前記検索サービス部と設定部により機器の絞込みを行う判定部と、検出結果を表示する表示部と備えることを特徴とするネットワーク通信システム。
【請求項２】
請求項１において、上記機器の検出の絞りこみ設定部がプリンタやデジタルカメラといった機器の種類、メーカー名、モデル名といった機器の情報を設定可能であることを特徴とするネットワーク通信システム。
【請求項３】
請求項１において、上記検出結果を表示する表示部が接続回数に応じて表示手段を変えることを特徴とするネットワーク通信システム。
【請求項４】
請求項１、３において、上記表示手段が接続回数の多い順にリスト表示されることを特徴とするネットワーク通信システム。
【請求項５】
請求項１、３において、上記表示手段が接続回数の多い機器が強調表示されることを特徴とするネットワーク通信システム。
【発明の詳細な説明】
【技術分野】
【０００１】
本発明は、ネットワーク経由における機器検索結果の表示方法に関する。
【背景技術】
【０００２】
コンピュータや周辺機器をネットワーク接続するネットワーク機器が普及している。それらネットワーク機器は、ＴＣＰ／ＩＰやＨＴＴＰといった通信プロトコルを用いてデータ通信を行っている。通常、ネットワーク機器はＩＰアドレス等のネットワーク設定を行い、他の機器と接続を行う。Ｅｔｈｅｒｎｅｔ（登録商標）では物理層の設定は行う必要がないが、国際標準規格８０２．１１に基づく無線通信では、通信モードやセキュリティ等、物理層に関する設定を行う必要がある。また、Ｂｌｕｅｔｏｏｔｈで他の機器との接続を行う際、ＳＤＰと言われるデバイスの検出を行い、機器の接続を行うのが一般的である。
【０００３】
従来の技術において、機器同士を接続する場合、機器制御要求を発行する機器が相手機器のＩＰアドレスを予め知っているか、検索サービスを用いて、ネットワーク上にブロードキャストもしくはマルチキャストでサーバーを検索しなくてはならない。
【０００４】
そして、従来、デバイス検索にかなりの処理時間を要するという問題があったため、識別情報に対応する報知情報を取得して、報知情報に基づく報知を行う報知装置において報知までにかかる時間を短縮できる報知装置等を提供するものがあった（例えば、特許文献１）。
【特許文献１】特開２００４−１２０３８５号公報
【発明の開示】
【発明が解決しようとする課題】
【０００５】
従来の機器の検出においては、制御要求の送り側の機器では検出できる機器をすべて検出し、検出された順にユーザーに表示していた。あるいは、Ｂｌｕｅｔｏｏｔｈでは機器のカテゴリ別に表示しているものもあった。しかし、周囲にある機器が増えるに従い、制御要求の送り側の機器で検出できる機器は増え、それら全てを表示させると、接続したい機器をすぐに見つけることができず、不便である。
【０００６】
そこで、本発明は上記問題を解決するためになされたものであり、ネットワーク通信システムにおける接続したいデバイスを容易に検索できる手段を提供すること目的とする。
【課題を解決するための手段】
【０００７】
上記問題を解決するために、本発明であるネットワーク通信システムは、機器検索をする検索サービス部と、機器の検出の絞りこみを行う設定部と、前記検索サービス部と設定部により機器の絞込みを行う判定部と、検出結果を表示する表示部と備えることを特徴とする。
【発明の効果】
【０００８】
以上のように、本発明によれば、ネットワーク通信システムは、機器の検出の絞りこみを行う設定部と、前記検索サービス部と設定部により機器の絞込みを行う判定部と、検出結果を表示する表示部と備えることで、所望の機器を容易に見つけることを可能にし、ネットワーク機器が増加しても、ユーザーが間違えることなく所望の機器に接続することが可能になる。
【発明を実施するための最良の形態】
【０００９】
本発明を実施するための最良の形態について、以下に図面を参照して説明する。
【実施例１】
【００１０】
図１はネットワーク機器検索から表示までのフローチャートである。
【００１１】
ステップＳ１０１において、検索サービス部４０１によりネットワーク上で検出できる機器を検索する。機器同士を接続する場合、さまざまな検索サービスが存在するが、例えばＢｌｕｅｔｏｏｔｈの場合はＳＤＰ、ＵＰｎＰの場合はＳＳＤＰと言われる検索サービスを用いることで、周辺機器が他のコンピュータ周辺機器等を検索することができる。そして、ステップＳ１０２において、検索サービス部４０１により検出された機器をリスト登録し、ステップＳ１０３で検索結果を表示装置４０４等に表示する。検索結果としては、例えば図５のようなものである。検索サービスによっては、検索する際、機器のカテゴリを選択し、そのカテゴリに当てはまったデバイスのみを検出する機能もある。本発明では、検索サービス部４０１を変更することなく、機器の検出の絞りこみを行う設定記憶部４０２と、前記検索サービス部４０１と設定記憶部４０２の情報を用いて機器の絞込みを行う検索絞込み判定部４０５を備えることで、所望の機器検出を可能にさせる。
【００１２】
以下、図２において本発明におけるネットワーク機器検索から表示までのフローチャートを示す。ステップＳ２０１において、設定記憶部４０２は操作部４０３から検索条件を取得する。この際、検索条件として、機器の種類、メーカー名、モデル名といった機器の情報を設定する。そして、ステップ２０２において、検索条件を設定記憶部４０２を用いて内部記憶装置に記憶させる。その後、ステップ２０３において、検索サービス部４０１に対して機器検索を要求し、ネットワーク上で検出できる機器を検索、ステップＳ２０４において、検索サービスにより検出された機器をリスト登録する。この検索サービスで検索した機器は検索サービス部を用いて検索した周辺にある機器がすべて検出されている。そこで、ステップＳ２０５において、設定記憶部４０２と検索絞込み判定部４０５を用いて、検索結果から所望の機器の絞込みを行う。
【００１３】
検索絞りこみ判定部４０５については、図３の本発明における検索絞込み判定部に関するフローチャートとなる。そして、ステップＳ３０１において、検索サービスで検出されたデータが検索条件と一致したかを判定する。そこで、一致していれば、ステップＳ３０２で表示用の機器リストに追加登録し、一致していなければ、ステップＳ３０４で次のデータがあるかチェックする。表示用の機器リストに追加登録後も、ステップＳ３０３で次のデータがあるかチェックする。そして、データが無くなるまでステップＳ３０１からステップＳ３０３を繰り返し、データが無くなったらこの検索絞込み判定部４０５の処理を終了する。その機器検索絞込み判定結果をもとに検索結果を表示部４０４に表示する。
【００１４】
本発明における機器検出画面の一例としては図６となる。
【００１５】
以下、図６を使って説明する。
【００１６】
例えば、Ａというメーカー名のモデル１というプリンタだけを検出したい場合、まず操作部４０３の機器カテゴリのリスト６０１からプリンタを選択し、メーカー名のテキストボックス６０２でメーカーを指定し、モデル名６０３として、モデル１を入力する。この情報をステップＳ２０２で格納する。その後、ステップＳ２０３の検索サービス部４０１により、Ａメーカーのプリンタ（モデル１）、Ａメーカーのプリンタ（モデル２）、Ａメーカーのデジカメ、Ｂメーカーのデジカメが検出できたとする。従来の場合、図５で示したような結果が出力される。そして、検索絞りこみ判定部４０５において、Ａメーカーのモデル１というプリンタで検索しているので、Ａメーカーのプリンタのモデル１を検索結果として登録する。そして、表示部４０４のリストボックス６０６に検索結果であるＡメーカーの機器を表示させる。この他、Ａメーカーだけを検索するような検索条件を用いた場合、メーカーＡの製品のみ表示部４０４に結果を出すことが可能である。上記以外の情報でも検索サービスにより取得できる情報であれば、その情報を用いてもよい。
【実施例２】
【００１７】
実施例１では、機器の絞りこみはできるが、常に使用している機器がどれかは分からない。個人で検索サービスを使用する場合、常に同じ機器を使用することになるので、常に使用しているデバイスは表示部で分かり易くするのがよい。
【００１８】
そこで、機器と接続した際、設定記憶部４０２に接続した機器の情報と接続回数を記憶装置に記憶させる。そして、設定記憶部４０２の接続回数をチェックし、過去に接続したことがある機器であれば、検索結果を表示する表示部４０４で表示手段を変えて出力する。そして、リストボックス６０６には利用頻度として、何回接続されたか表示することができる。表示手段として、図６で示したチェックボックス６０７のように、接続回数が多い順にリスト表示してもよいし、接続回数が多い機器が色などをもちいて強調表示してもよい。
【００１９】
そうすることで、たとえ、機器がたくさん検出されても、接続したい機器を容易に検出できるようになる。
【図面の簡単な説明】
【００２０】
【図１】従来のネットワーク機器検索から表示までのフローチャート。
【図２】本発明におけるネットワーク機器検索から表示までのフローチャート。
【図３】本発明における絞込み判定部に関するフローチャート。
【図４】本発明における構成図。
【図５】従来の機器検出画面の一例。
【図６】本発明における機器検出画面の一例。
【符号の説明】
【００２１】
４０１  検索サービス部
４０２  設定記憶部
４０３  操作部
４０４  表示部
４０５  検索絞込み判定部
６０１  機器のカテゴリ
６０２  メーカー名のテキストボックス
６０３  モデル名
【図１】
2006074355.tif 000003
【図２】
2006074355.tif 000004
【図３】
2006074355.tif 000005
【図４】
2006074355.tif 000006
【図５】
2006074355.tif 000007
【図６】
2006074355.tif 000008